(57)【特許請求の範囲】
【請求項１】
洋風便器の後部上面にロータンク等のタンク設備装置が設置され、このタンク設備を覆う外郭ケースが設けられており、このタンク設備内に回路基板が取り付けられるタンク設備において、該タンク設備内のロータンク側方に回路基板取付部を奥行方向に設け、前記回路基板下部を該取付部に載荷固定し、
前記回路基板設置上面に便器洗浄ユニットを配置し、前記回路基板に一体に便器洗浄ユニットを囲む囲み壁を設け、
前記囲み壁の底面を排水トイとし、
前記排水トイの下方に更に第２排水トイを設けたことを特徴とするタンク設備装置。
【請求項２】
請求項１記載のタンク設備装置において、前記回路基板の部品設置面を外側に向けて設けたことを特徴とするタンク設備装置。
【請求項３】
請求項１若しくは請求項２記載のタンク設備において、回路基板裏面に排水案内リブを形成したことを特徴とするタンク設備装置。
【請求項４】
請求項１乃至請求項３記載のタンク設備装置において、外郭ケースに便器洗浄ユニットを外側から操作するための開口を設け、該開口の周囲内側に囲み壁を設けたことを特徴とするタンク設備装置。
【請求項５】
洋風便器の後部上面にロータンク等のタンク設備装置が設置され、このタンク設備を覆う外郭ケースが設けられており、このタンク設備内に回路基板が取り付けられるタンク設備において、該タンク設備内のロータンク側方に回路基板取付部を奥行方向に設け、前記回路基板下部を該取付部に載荷固定し、前記回路基板の部品設置面を外側に向けて設け、前記ロータンクに回路基板倒れ防止リブを設けたことを特徴とするタンク設備装置。
【発明の詳細な説明】
【０００１】
【発明の属する技術分野】
本発明はタンク設備への回路基板取付構造に関するものであり、特に洋風便器の後部上面にタンクカバーを設置した場合に採用されるタンク設備に関する。
【０００２】
【従来の技術】
洋風便器の後部上面に外郭ケースを設置し、この外郭ケース内にロータンクや温水洗浄装置などを設置したタイプの洋風便器設備が普及しつつある。
第１９図はこの種の洋風便器設備の構成を示す透視斜視図である。図示の通り、洋風便器Ａ後部上面のベースプレート１２上に温水タンク２、ロータンク９、温風乾燥装置５、脱臭装置６、室内暖房装置（図示略）等のタンク設備が設置され、これらの機器を覆うように外郭ケース１３がベースプレート１２上に設置されている。この外郭ケース１３の上方には蓋カバー１４けられる。なお、外郭ケース２２の下方前面に便座１５及び便蓋１６が起倒方向回動可能に取り付けられる。
なお、前記脱臭装置６の排気は脱臭触媒（図示略）を通って脱臭処理された後、ベースプレート１２の下部の排気口（図示略）を通ってトイレルーム内へ放出される。
ロータンク１６の前面に、各装置を制御する制御回路を搭載した回路基板１１がビス（図示無）によってベースプレート１２に取り付けられている。
ロータンク１６内の水は、ハンドル１０ａ又はモータ１０ｂで開弁操作されるフロート弁装置（図示略）を介して洋風便器Ａへ供給され、温水タンク２内の温水は、流調切換弁３を介して洗浄ノズル４へ供給される。
前記ベースプレート１２はボルトによって洋風便器Ａに固定される。このボルトはベースプレート１２に設けられたボルト孔と洋風便器Ａに設けられたボルト孔（いずれも図示略）とに挿通される。
【０００３】
【発明が解決しようとする課題】
上記のような便器設備では、回路基板１１はロータンク９前面に配置されているので、外郭ケース１３はその回路基板１１を覆うため上から下に膨らんだ形状とされている。そのため、この外郭ケース１３の前面の意匠ラインとの連続性を考慮して便蓋１６は厚いデザインとなっていた。これは、トイレのような狭い空間を更に狭く見せることになってしまう。トイレルームを広く見せようとすれば、この高さを極力低く抑えることが望ましい。
また、回路基板１１をロータンク９前面に配置しているため、水路系ユニット（流調ユニット３、ノズルユニット４等）からの被水を考慮し、被水防止カバー等を別途設ける等の対策が必要であった。
本発明は、このような問題点を解消し、回路基板に特別の被水対策を講じる必要が無く、更に外郭ケースをロータンクと略同程度まで薄くすると共に便蓋のヒンジを極力低い位置に設けることが可能なタンク設備を提供することを目的とする。
【０００４】
【課題を解決するための手段及び作用及び効果】
本発明のタンク設備装置は、洋風便器の後部上面にロータンク等のタンク設備装置が設置され、このタンク設備を覆う外郭ケースが設けられており、このタンク設備内に回路基板が取り付けられるタンク設備において、該タンク設備内のロータンク側方に回路基板取付部を奥行方向に設け、前記回路基板下部を該取付部に載荷固定し、前記回路基板設置上面に便器洗浄ユニットを配置し、前記回路基板に一体に便器洗浄ユニットを囲む囲み壁を設け、
前記囲み壁の底面を排水トイとし、
前記排水トイの下方に更に第２排水トイを設けたことを特徴とする。この構成により、回路基板をロータンク側方にロータンクに沿って配置することで、外郭ケースの厚みを薄くすることができ、便蓋のヒンジ位置を下げることができ、トイレルームを広く見せることができる。また、回路基板に被水対策を講じる必要がないので、コストダウンを図ることができる。
【０００５】
前記回路基板設置上面に便器洗浄ユニットを配置し、前記回路基板に一体に便器洗浄ユニットを囲む囲み壁を設けたので、便器洗浄ユニットへの結露水から回路基板を保護することができる。
【０００６】
前記囲み壁の底面を排水トイとしたので、便器洗浄ユニットへの結露水を排水トイを介して排出することができる。
【０００７】
前記排水トイの下方に更に第２排水トイを設けたので排水トイで捕らえきれなかった水を第２排水トイに確実に排出することができ、回路基板への結露の影響を無くすことができる。
【０００８】
請求項２の発明では、請求項１に加え、前記回路基板の部品設置面を外側に向けて設けることで、ロータンク周囲に結露する水による回路基板への影響を無くすことができる。
【０００９】
請求項３の発明では、回路基板裏面に排水案内用リブを形成したので、特別の排水案内部材を設ける必要がなく、コストダウンを図ることができる。
【００１０】
請求項４の発明では、外郭ケースに便器洗浄ユニットを外側から操作するための開口を設け、該開口の周囲内側に囲み壁を設けたので、濡れた手で便器洗浄ユニットを操作したとしても、確実に排水トイで水を排出することができる。
【００１１】
請求項５の発明では、洋風便器の後部上面にロータンク等のタンク設備装置が設置され、このタンク設備を覆う外郭ケースが設けられており、このタンク設備内に回路基板が取り付けられるタンク設備において、該タンク設備内のロータンク側方に回路基板取付部を奥行方向に設け、前記回路基板下部を該取付部に載荷固定し、前記回路基板の部品設置面を外側に向けて設け、ロータンクに回路基板倒れ防止リブを設けたので、回路基板が縦長方向に形成されても、不安定になることが無い。
【００１２】
【発明の実施の形態】
以下、図面を参照して実施の形態について説明する。図１は装置の斜視図、図２は装置の外郭ケースを取り外した状態の斜視図A、図3は図2とは反対側面から見た外郭ケースを取り外した状態の斜視図Bである。図において、１は便器洗浄タンクへの給水と局部洗浄用の給水を分岐する分岐栓および局部洗浄用の給水を制御する電磁弁等からなるバルブユニット、２は局部洗浄用の水を温水かする温水タンク、３は局部洗浄水の水量を調整及びお尻／ビデの流路を切り替える流量調整兼流路切換ユニット、4は局部へ洗浄水を放出するノズルユニット、５は洗浄後の局部を乾燥する乾燥ユニット、６は用便中の悪臭を脱臭する脱臭ユニット、７はトイレ内を暖房する室内暖房ユニット、８は便座へ座した使用者を検知する着座センサ、９は便器内への洗浄水を蓄積するロータンク、１０は洗浄タンク9内の水を便器へ自動的に供給する便器洗浄ユニット、１１は各ユニットを制御する回路基板である。なお、洗浄タンク後方高部分にはリモコン受光部１１を設ける。これにより、壁面等に設置するリモコンで局部洗浄や便器洗浄を行うことができる。尚、外郭ケース１３には、便器洗浄ユニット１０が位置する部分に開口１３ｃを設け、その開口１３ｃを覆う蓋１３ｄを開閉自在に設ける。
【００１３】
図に示すように、ノズルユニット４を中心に左半部に通水されるユニットを配置し、右半部には水が通らないユニットを配置しており、更に、回路基板１１をロータンク９の側面に奥行き方向に亘って配置する。また、回路基板１１の基板設置面は外側に向けて設置する。こうすることにより、各ユニットを繋ぐチューブが外れたとしても、そこからの水が回路基板１１まで及ぶことがない。また、洗浄タンク９表面の結露水が回路基板１１に及ぶことも無い。
【００１４】
図４には、ベースプレート１２及び外郭ケース１３の背面ケース１３ａのみを示す斜視図である。ベースプレート１２右側には回路基板１１取付部１２ａを、左側後方コーナー部にはバルブユニット１取付ボス１２ｂを一体に形成する。図５には、回路基板取付部１２ａの拡大斜視図を示す。回路基板取付部１２ａには３つのネジ孔とその間にロータンクの排水弁を開放状態に固定する寒冷地用水抜き操作杆を挿通可能な凹部１２ｃを設ける。図６には、回路基板１１をベースプレート１２に取付状態を示す斜視図を示す。ロータンク９の上端部には、回路基板１１の倒れを防止する為の倒れ防止リブ９ａを側方に張り出して設ける。回路基板取付部１２ａのネジ孔にネジ３本で取付けられる回路基板取付ブロック１８を設ける。この回路基板取付ブロック１８は水抜き操作杆（図示無）を挿通可能な凹部１２ｃを形成する為に、ベースプレート１２に取付ブロック１８が一体に形成できなかったために必要となるものであり、この水抜き操作杆を考慮しなければ、ベースプレート１２に一体に構成しても良い。
【００１５】
図７には回路基板１１を表側から見た拡大斜視図、図８には回路基板１１を裏側から見た拡大斜視図、図９には回路基板１１の断面図を夫々示す。回路基板１１の上方には倒れ防止リブに係止される係止部１１ａ及びその横に便器洗浄ユニット１０を取り囲むように囲い壁１１ｂを形成する。囲い壁１１ｂの底面１１ｃは回路基板１１の裏面に向かって傾斜し、排水トイ１１ｃとして機能する。排水トイ１１ｃの下方には更に第２排水トイ１１ｄを形成する。この第２排水トイ１１ｄは排水トイ１１ｃよりも肉厚分外側に長く形成する。回路基板１１の裏面には複数のリブを形成し、このリブは図のように集水リブ１１ｅに排水トイ１１ｃ、第２排水トイ１１ｄからの水が集まるように形成する。取付ブロック１８には、集水リブ１１ｅからの水をベースプレートへ案内する為の案内リブ（図示略）を設ける。なお、回路基板１１は取付ブロック１８に載置面１１ｇを置き、固定部１１ｅを取付ブロック１８にネジ固定することで、ベースプレート１２に一体化する。ベースプレート１２に案内された水は、ベースプレートに形成されたガイドリブ及びその傾斜により便鉢内に排出される。
【００１６】
図１０には、外郭ケース１３の前面ケース１３ｂに設けた開口１３ｃ部分の裏側から見た拡大斜視図を示す。開口１３ｃ周囲内側には、蓋１３ｄの開閉ヒンジ収納壁１３ｅ、侵入水ガイドリブ１３ｆ、侵入防止壁１３ｇを設ける。回路基板１１ｃに設けた囲い壁側壁１１ｂ２と侵入防止壁１３ｇとで、便器洗浄ユニット手動操作時に指が内側に侵入し、指を挟み怪我をすることを防止する。また、濡れた手で操作された際に水が侵入することも防止する。この時、侵入した水は、浸入水ガイドリブ１３ｆから排水トイ１１ｃ或は第２排水トイ１１ｄを伝って、便鉢内に排出される。
【００１７】
図１１には室内暖房ユニット７非設置状態での部分拡大斜視図、図１２には室内暖房ユニット７設置状態での部分拡大斜視図を示す。ベースプレート１２には、吸込口１２ｄ、吹出口１２ｅを設ける。また、吸込口１２ｄ奥に立壁を設け、その立壁に取付用開口１２ｆを設ける。図１３には室内暖房ユニット７の拡大斜視図を示す。室内暖房ユニット７には取付用フック７ａを設け、このフック７ａを取付用開口１２ｆに弾性係合することで一個所を固定し、ネジ部７ｂを取付ブロック１８にネジ固定することで、ベースプレート１２に一体化する。
【００１８】
図１４にはリモコン受光部と背面ケース１３ａとの固定を示す全体斜視図、図１５及び図１６にはリモコン受光部と背面ケース１３ａとの固定を示す分解斜視図を示す。背面ケース１３ａの後部裏側には受光部取付壁１３ｈを垂下して設け。該取付壁１３ｈには受光部挿入リブ１３ｉを設ける。なお、受光部挿入リブ１３ｉに対向して受光窓１３ｊを設ける。また、背面ケース１３ａ裏面に固定用係止片１３ｋを設ける。リモコン受光部１９には、前記挿入リブ１３ｉに挿入されるフランジ部１９ａを設け、固定用フック１９ｂを下方に設ける。この構成により、リモコン受光部１９のフランジ部１９ａがリブ１３ｉに挿入され、固定用フック１９ｂが係止片１３ｋに弾性係合することで、背面ケース１３ａに一体化され、リモコン受光部１９は挿入リブ１３ｉと受光窓１３ｊの間に固定される。
図１７にはバルブユニット１とベースプレート１２との取り付けを示す拡大斜視図を示す。バルブユニット１は縦長に形成した方がスペース上有利であるのだが、縦長に形成すると組み付け時不安定になる。そこで、ベースプレート１２に突出リブ１２ｇを一体に設け、組み付け時、この突出リブ１２ｇにバルブユニット１を立てかけ、バルブユニット１の高所でこの突出リブ１２ｇにネジ止め固定することで、安定的に固定することができる。
【００１９】
図１８には脱臭装置６を底面から見た斜視図を示す。６ａはダクト内に汚物などが侵入するのを防止するために吸込口に設けられるフィルタ、６ｂは吹出口、６ｃは脱臭ファン、６ｄは吸込ダクト、６ｅは吹出ダクト、６ｆは吹出ダクトに設置され悪習を無臭化する脱臭触媒である。吸込ダクト６ｄの側面には第２吸込口６ｇ、底面には第３吸込口６ｈを設ける。この第２吸込口６ｇ、第３吸込口６ｈにより、フィルタ６ａが汚物などで完全に目詰まりを起こし、吸込口から悪臭を吸込むことができなくなったとしても、ノズルユニット４用の開口等を通じて、悪臭を吸込むことができる。なお、フィルタ６ａに目詰まりが起きていない時には、この第２吸込口６ｇ、第３吸込口６ｈは小さいので、殆どがフィルタ６ａを通じて吸引される。
【図面の簡単な説明】
【図１】本発明の実施例に係る外観斜視図
【図２】本発明の実施例に係る外郭カバーを外した状態での全体斜視図
【図３】本発明の実施例に係る外郭カバーを外した状態での全体斜視図（第２図の反対側）
【図４】本発明の実施例に係るベースプレートの全体斜視図
【図５】本発明の実施例に係るベースプレートの部分拡大斜視図（回路基板取付）
【図６】本発明の実施例に係る回路基板取付を示す斜視図
【図７】本発明の実施例に係る回路基板の表側から見た斜視図
【図８】本発明の実施例に係る回路基板の裏側から見た斜視図
【図９】本発明の実施例に係る回路基板の断面図
【図１０】本発明の実施例に係る外郭カバーの開口の拡大斜視図
【図１１】本発明の実施例に係る室内暖房ユニット取付を示す拡大斜視図（取り外した状態）
【図１２】本発明の実施例に係る室内暖房ユニット取付を示す拡大斜視図（取り付けた状態）
【図１３】本発明の実施例に係る室内暖房ユニットの斜視図
【図１４】本発明の実施例に係る外郭カバーへのリモコン受光部取付を示す全体斜視図
【図１５】本発明の実施例に係る外郭カバーへのリモコン受光部取付を示す拡大斜視図
【図１６】本発明の実施例に係る外郭カバーへのリモコン受光部取付を示す拡大斜視図
【図１７】本発明の実施例に係るベースプレートへのバルブユニット取付を示す拡大斜視図
【図１８】本発明の実施例に係る脱臭装置の拡大斜視図
【図１９】従来のタンク設備装置を示す外観斜視図
【符号の説明】
Ａ：洋風便器
９：洗浄タンク（ロータンク）
９ａ：回路基板倒れ防止リブ
１０：便器洗浄ユニット
１１：回路基板
１１ｂ：囲み壁
１１ｃ：排水トイ
１１ｄ：第２排水トイ
１２ａ：回路基板取付部
１３：外郭ケース
１３ｃ：開口
【図１】
0003728995.tif 000002
【図２】
0003728995.tif 000003
【図３】
0003728995.tif 000004
【図４】
0003728995.tif 000005
【図５】
0003728995.tif 000006
【図６】
0003728995.tif 000007
【図７】
0003728995.tif 000008
【図８】
0003728995.tif 000009
【図９】
0003728995.tif 000010
【図１０】
0003728995.tif 000011
【図１１】
0003728995.tif 000012
【図１２】
0003728995.tif 000013
【図１３】
0003728995.tif 000014
【図１４】
0003728995.tif 000015
【図１５】
0003728995.tif 000016
【図１６】
0003728995.tif 000017
【図１７】
0003728995.tif 000018
【図１８】
0003728995.tif 000019
【図１９】
0003728995.tif 000020